(57)【要約】【課題】ユーザの入力操作に手間がかかって印刷開始までの所要時間が長くなる。【解決手段】本発明に係る印刷装置は、記憶媒体７を着脱可能な媒体装着部２と、媒体装着部２に装着された記憶媒体７に記憶されているデジタルカメラ印刷用ファイル形式を含むデータ記憶状況を認識する認識手段と、記憶媒体７に記憶されたデータを印刷する際に必要となる印刷指示情報をユーザの入力操作によって受け付ける階層化された操作用画面を表示可能なＵＩ部と、認識手段でデジタルカメラ印刷用ファイルが認識された場合は、階層化された操作用画面のうちデジタルカメラ印刷用ファイルの印刷用操作画面をＵＩ部５に表示させる表示制御手段とを備える。【選択図】図１
2008112463.tif 000002
【特許請求の範囲】
【請求項１】
記憶媒体を着脱可能な媒体装着部と、
前記媒体装着部に装着された前記記憶媒体に記憶されているデジタルカメラ印刷用ファイル形式を含むデータ記憶状況を認識する認識手段と、
前記記憶媒体に記憶されたデータを印刷する際に必要となる印刷指示情報をユーザの入力操作によって受け付ける階層化された操作用画面を表示可能な表示手段と、
前記認識手段で前記デジタルカメラ印刷用ファイルが認識された場合は、前記階層化された操作用画面のうちデジタルカメラ印刷用ファイルの印刷用操作画面を前記表示手段に表示させる表示制御手段と
を備えることを特徴とする印刷装置。
【請求項２】
前記認識手段は、前記記憶媒体に記憶されているデータのファイル名から当該データのファイル形式を認識する
ことを特徴とする請求項１記載の印刷装置。
【発明の詳細な説明】
【技術分野】
【０００１】
本発明は、各種のデータを記憶可能な記憶媒体を直接装着して、この記憶媒体に記憶されているデータを印刷することができる印刷装置に関する。
【背景技術】
【０００２】
現在、スマートメディア（登録商標）、コンパクトフラッシュ（登録商標）、メモリスティック（登録商標）などの小型の記憶媒体に、画像データやテキストデータなどの各種のデータを記憶しておき、その中から所望のデータをプリンタ等の印刷装置を使って印刷出力することが可能になっている。代表的な例では、デジタルカメラに記憶媒体を装着して、人物や風景等を撮影したときの画像データを記憶媒体に記憶しておく。その後、記憶媒体に記憶された画像データを印刷する場合は、デジタルカメラから記憶媒体を取り外し、この取り外した記憶媒体をパーソナルコンピュータに装着する。あとはパーソナルコンピュータ上でユーザが所定の操作を行うことにより、印刷対象となる画像データを印刷装置に送って印刷出力を行う。
【０００３】
また近年においては、記憶媒体を印刷装置に直接装着し、その記憶媒体に記憶されているデータを、印刷装置のユーザインタフェース機能を使ったユーザの入力操作により印刷できるようになっている。こうした印刷方式に対応する印刷装置は、記憶媒体を装着するための媒体装着部と、ユーザへの情報表示やユーザからの情報入力のためのユーザインタフェース部とを備えた構成となっている。そして、実際に媒体装着部に記憶媒体が装着された場合は、予め階層化された操作用画面を最上位から順に表示するとともに、各階層の操作用画面に基づくユーザの入力操作により、データを印刷するのに必要な印刷指示情報を取得している。
【０００４】
図６は従来の印刷装置で印刷処理を行う場合の手順を示すフローチャートである。先ず、媒体装着部に記憶媒体が装着されると（ステップＳ１）、第１階層の操作用画面がユーザインタフェース部の表示部に表示される（ステップＳ２）。第１階層の操作用画面としては、印刷対象となるデータのファイル形式を選択するための画面が適用される。次に、ユーザインタフェース部でのユーザの入力操作によりファイル形式が選択されると（ステップＳ３）、このファイル形式に応じたプリント用表示モードに移行し、そこで第２階層の操作用画面がユーザインタフェース部の表示部に表示される（ステップＳ４）。第２階層の操作用画面としては、印刷対象となるデータのファイル（以下、印刷ファイルとも記す）を選択するための画面が適用される。
【０００５】
次いで、ユーザインタフェース部でのユーザの入力操作により印刷ファイルが選択されると（ステップＳ５）、第３階層の操作用画面がユーザインタフェース部の表示部に表示される（ステップＳ６）。第３階層の操作用画面としては、印刷条件を設定するための画面が適用される。その後、ユーザインタフェース部でのユーザの入力操作により印刷条件が設定されると（ステップＳ７）、第４階層の操作用画面がユーザインタフェース部の表示部に表示される（ステップＳ８）。第４階層の操作用画面としては、印刷実行を指示するための画面が適用される。次いで、ユーザインタフェース部でのユーザの入力操作により印刷実行が指示されると（ステップＳ９）、印刷媒体となる用紙等のシートに対してデータの印刷出力が行われる（ステップＳ１０）。
【発明の開示】
【発明が解決しようとする課題】
【０００６】
しかしながら従来の印刷装置においては、ユーザが記憶媒体を装着してから印刷出力が実行されるまで、階層構造の操作用画面を最上位（第１階層）から順に表示し、各階層の操作用画面にしたがったユーザの入力操作により印刷指示情報を受け付ける方式を採用しているため、ユーザの入力操作が煩雑になるとともに、印刷開始までの所要時間が長くなるという不具合があった。
【課題を解決するための手段】
【０００７】
本発明に係る印刷装置は、記憶媒体を着脱可能な媒体装着部と、前記媒体装着部に装着された前記記憶媒体に記憶されているデジタルカメラ印刷用ファイル形式を含むデータ記憶状況を認識する認識手段と、前記記憶媒体に記憶されたデータを印刷する際に必要となる印刷指示情報をユーザの入力操作によって受け付ける階層化された操作用画面を表示可能な表示手段と、前記認識手段で前記デジタルカメラ印刷用ファイルが認識された場合は、前記階層化された操作用画面のうちデジタルカメラ印刷用ファイルの印刷用操作画面を前記表示手段に表示させる表示制御手段とを備えることを特徴とする。
【発明の効果】
【０００８】
本発明によれば、記憶媒体の装着時に認識したデータ記憶状況に応じて操作用画面の表示階層を決定し、この決定した表示階層にしたがって表示手段に操作用画面を表示させることにより、記憶媒体におけるデータ記憶状況に合わせて操作用画面の表示を適切かつ効率良く行うことができる。その結果、ユーザの入力操作の手間を軽減して印刷開始までの所要時間を短縮することができる。
【発明を実施するための最良の形態】
【０００９】
以下、本発明の具体的な実施の形態について図面を参照しつつ詳細に説明する。
【００１０】
図１は本発明の実施形態に係る印刷装置の構成例を示す機能ブロック図である。図示のように印刷装置１は、媒体装着部２と、制御部３と、メモリ４と、ユーザインタフェース部（以下、ＵＩ部）５と、印刷部６とを備えて構成されている。媒体装着部２は、記憶媒体７を着脱可能に装着するためのスロット部と、このスロット部で記憶媒体７と電気的に接続するコンタクト部とを有する。記憶媒体７は任意のファイル形式でデータを記憶するものである。記憶媒体７としては、例えば、スマートメディア（登録商標）、コンパクトフラッシュ（登録商標）、メモリスティック（登録商標）、ＳＤメモリカード（登録商標）、マルチメディアカード（登録商標）などのメモリカードが用いられる。
【００１１】
制御部３は、予め与えられた制御プログラムにしたがって印刷装置１全体の動作を制御するものである。この制御部３は、媒体装着部２に記憶媒体７が装着されたか否かを監視する機能と、媒体装着部２に装着された記憶媒体７から、当該記憶媒体７に記憶されているデータや当該データに関する情報を読み出す機能と、メモリ４にデータを記憶したりメモリ４からデータを読み出したりする機能と、ＵＩ部５に画面を表示したりＵＩ部５からの入力を受け付けたりする機能と、印刷部６の動作を制御する機能を備える。
【００１２】
メモリ４は、制御部３が装置動作を制御する際に必要なデータを記憶するものである。このメモリ４には、制御部３がＵＩ部５に画面を表示する際に必要な表示データが記憶保持されている。メモリ４に保持される表示データの中には、記憶媒体７に記憶されたデータを印刷する際に必要となる印刷指示情報をユーザの入力操作によって受け付けるために階層化された操作用画面の表示データが含まれる。ここで記述する操作用画面とは、ユーザが記憶媒体７を媒体装着部２に装着してから実際にデータの印刷出力が開始されるまでに、印刷処理に必要な印刷指示情報をユーザが入力操作するために表示される画面をいう。
【００１３】
ＵＩ部５は、例えば、液晶表示パネルからなる表示部と、各種のボタン、スイッチ、キー等からなる入力操作部とを備えるものである。表示部は、上述のように階層化された操作用画面を表示可能な表示手段となるもので、メモリ４に保持された表示データに対応した操作用画面を表示する。入力操作部は、ユーザによって入力操作されるものである。
【００１４】
印刷部６は、印刷媒体となる用紙等のシートを所定の経路に沿って搬送する搬送機構と、この搬送機構によって搬送されたシートにインク、トナー等の印刷材料を用いて可視情報（画像）を印刷出力する印刷機構とを備えるものである。
【００１５】
図２はメモリ４に表示データの一つとして保持される操作用画面の階層構造の一例を示す図である。図２において、第１階層の操作用画面としてはファイル形式選択画面が存在し、ここから４つのプリント用表示モードに枝分かれした形で、各々のプリント用表示モードごとに第２階層〜第４階層の操作用画面が存在する。プリント用表示モードは、デジカメプリント用、ＰＤＦプリント用、ＴＩＦＦプリント用、ＪＰＥＧプリント用に分かれている。また、デジカメプリント用の表示モードとして、第２階層の操作用画面として印刷ファイル選択画面が、その下層の第３階層の操作用画面として印刷条件設定画面が、そのまた下層の第４階層の操作用画面として印刷実行指示画面が存在する。同様に、ＰＤＦプリント用、ＴＩＦＦプリント用及びＪＰＥＧプリント用の各表示モードとして、それぞれ第２階層の操作用画面として印刷ファイル選択画面が、第３階層の操作用画面として印刷条件設定画面が、第４階層の操作用画面として印刷実行指示画面が存在する。
【００１６】
このような階層構造をなす操作用画面において、第１階層（最上位）のファイル形式選択画面は、印刷指示情報の一つとして、印刷対象となるデータのファイル形式（ファイルの種類）を選択するための操作用画面となる。このファイル形式選択画面には、印刷装置１で取り扱い可能なデータのファイル形式がリスト表示されるとともに、そのリストの中から所望のファイル形式を選択するための選択ボタンが表示される。データのファイル形式としては、デジタルカメラで撮影された画像ファイル（以下、デジカメファイル）、ＰＤＦ(Portable Document format)形式の文書ファイル（以下、ＰＤＦファイル）、ＴＩＦＦ(Tagged Image File Format)形式の画像ファイル（以下、ＴＩＦＦファイル）、ＪＰＥＧ形式(Joint Photographic Experts Group Format)の画像ファイル（以下、ＪＰＥＧファイル）を例示するが、これ以外のファイル形式を取り扱うことも可能である。
【００１７】
ここで、デジカメファイルと他の画像ファイル（本例ではＪＰＥＧファイル、ＴＩＦＦファイル）との違いは、デジタルカメラで撮影された画像ファイルであるか否かによる。すなわち、デジタルカメラで撮影された画像ファイルには、例えば、日本電子工業振興協会（ＪＥＩＤＡ）で標準化されたＥｘｉｆ形式(Exchange Image File Format）が適用される。このＥｘｉｆ形式を適用した画像ファイルの場合は、画像データがＪＰＥＧ形式やＴＩＦＦ形式で保存されるため、ファイル名の拡張子がＪＰＥＧファイルやＴＩＦＦファイルと共通するものの、ファイル構造を階層化するために特定の文字列をファイル名に含むことになる。この点は、Ｅｘｉｆ形式以外の画像ファイルでも同様である。したがって、画像ファイルのファイル名に特定の文字列を含むか否かによって、デジカメファイルであるのか、それ以外の画像ファイルであるのかを明確に識別することができる。
【００１８】
一方、デジカメプリント用、ＰＤＥプリント用、ＴＩＥＥプリント用面及びＪＰＥＧプリント用の各表示モードは、上述した第１階層のファイル形式選択画面上でユーザにより選択されたデータのファイル形式に応じて表示されるものである。すなわち、デジカメプリント用の表示モードは、デジカメファイル形式のデータを印刷するために用意されたものであって、ファイル形式選択画面上でユーザがデジカメファイル形式を選択した場合に表示される。ＰＤＦプリント用の表示モードは、ＰＤＦファイル形式のデータを印刷するために用意されたものであって、ファイル形式選択画面上でユーザがＰＤＦファイル形式を選択した場合に表示される。ＴＩＦＦプリント用の表示モードは、ＴＩＦＦファイル形式のデータを印刷するために用意されたものであって、ファイル形式選択画面上でユーザがＴＩＦＦファイル形式を選択した場合に表示される。ＪＰＥＧプリント用画面は、ＪＰＥＧファイル形式のデータを印刷するために用意されたものであって、ファイル形式選択画面上でユーザがＪＰＥＧファイルを選択した場合に表示される。
【００１９】
各々のプリント用表示モードで表示される３つの操作用画面（印刷ファイル選択画面、印刷条件設定画面、印刷実行指示画面）のうち、第１階層に次ぐ第２階層の印刷ファイル選択画面は、印刷指示情報の一つとして、印刷対象となるデータのファイル（印刷ファイル）を選択するための操作用画面となる。この印刷ファイル選択画面には、ファイル形式選択画面でユーザにより選択されたファイル形式に一致するデータのファイルがリスト表示されるとともに、このファイルリストの中から印刷対象として所望するファイルを選択するための選択ボタンが表示される。
【００２０】
第３階層の印刷条件設定画面は、印刷指示情報の一つとして、印刷条件を設定するための操作用画面となる。この印刷条件設定画面には、印刷条件の一例として、印刷形式を選択するための選択ボタンや印刷部数を入力するための入力ボタンが表示される。選択ボタンによる印刷形式の選択は、予め用意された複数の印刷形式の中からユーザが所望する印刷形式を択一的に選択できるよう、印刷装置１で対応可能な印刷形式をリスト形式で表示し、その中の一つを選択ボタンで任意に選択できるようにすればよい。また、印刷部数の入力については、テンキーなどを使って任意に入力できるようにすればよい。ちなみに、印刷形式としては、例えば、一枚のシート上に複数個のファイルのデータ（画像データ等）を並べて印刷するインデックス印刷や、一枚のシート上に一個のファイルのデータを印刷する通常印刷などの方式が考えられる。また、印刷条件の他の例としては、両面印刷の指定や印刷出力色（カラー／白黒）の指定なども考えられる。
【００２１】
第４階層の印刷実行指示画面は、印刷指示情報の一つとして、印刷実行を指示するための操作用画面となる。この印刷実行指示画面には、印刷実行を指示する「印刷実行ボタン」と印刷実行を取り止める「キャンセルボタン」などが表示される。また、第２階層〜第５階層の各操作用画面には、ユーザによる入力操作のやり直しなどに適切に対応できるよう、実際にＵＩ部５の表示部に表示される操作用画面を、第１階層のファイル形式選択画面に切り換えるための「切り換えボタン」や、一つ上の階層の操作用画面に戻すための「戻りボタン」、さらには入力を取り消すための「取消ボタン」などが表示される。
【００２２】
続いて、印刷装置１における印刷処理の具体的な手順について説明する。最初に、記憶媒体７に記憶されたデータのファイル形式がデジカメファイル形式であって、このデジカメファイル形式のファイルの個数（データの個数）が複数個存在する場合の処理例について図３のフローチャートを用いて説明する。
【００２３】
先ず、印刷装置１の媒体装着部２に記憶媒体７が装着されると（ステップＳ１１）、この装着を感知した制御部３は、記憶媒体７内でのデータ記憶状況を認識する（ステップＳ１２）。このとき、制御部３は、記憶媒体７に記憶されている全てのデータのファイル名を読み出して、各々のファイル名に含まれる文字列（拡張子を含む）を解析することにより、記憶媒体７に記憶されているデータのファイル形式とこのファイル形式ごとのファイル個数を認識する。その際、データのファイル形式は、データのファイル名に含まれる拡張子で識別する。また、デジカメファイルとそれ以外の画像ファイルとは、先述したようにデータのファイル名に特定の文字列を含むか否かによって識別する。
【００２４】
次に、制御部３は、先のステップＳ１２で認識したデータ記憶状況（データのファイル形式、ファイル個数等）に応じて、ＵＩ部５の表示部に表示すべき操作用画面の表示階層を決定する（ステップＳ１３）。このとき、制御部３では、ＵＩ部５の表示部に対して、実際にどの階層の操作用画面を表示するか（換言すると、どの階層の操作用画面の表示を省略するか）を決定するとともに、一番最初にどの階層の操作用画面を表示するかを決定する。
【００２５】
次いで、制御部３は、先に決定した表示階層にしたがってＵＩ部５の表示部に操作用画面を表示させる（ステップＳ１４）。表示部に操作用画面を表示するにあたっては、先に決定した表示階層に対応する表示データを制御部３がメモリ４から読み出し、この読み出した表示データをＵＩ部５に送出することにより、表示部に操作用画面を表示させる。
【００２６】
ここで、制御部３は、上記ステップＳ１２でデータのファイル形式をデジカメファイル形式と認識するため、ファイル形式の選択を不要と判断して第１階層のファイル形式選択画面の表示を省略（スキップ）し、デジカメプリント用の表示モードに自動的に移行する。そして、制御部３は、デジカメプリント用の表示モードで第２階層の操作用画面となる印刷ファイル選択画面の表示データをメモリ４から読み出してＵＩ部５の表示部に表示させる。
【００２７】
その後、印刷ファイル選択画面にしたがったＵＩ部５でのユーザの入力操作により印刷対象となるデータのファイルが選択されると（ステップＳ１５）、制御部３は、第３階層の操作用画面となる印刷条件設定画面の表示データをメモリ４から読み出してＵＩ部５の表示部に表示させる（ステップＳ１６）。次いで、印刷条件設定画面にしたがったＵＩ部５でのユーザの入力操作により印刷条件が設定されると（ステップＳ１７）、制御部３は、第４階層の操作用画面となる印刷実行指示画面の表示データをメモリ４から読み出してＵＩ部５の表示部に表示させる（ステップＳ１８）。その後、印刷実行指示画面にしたがったＵＩ部５でのユーザの入力操作により印刷実行が指示されると（ステップＳ１９）、制御部３は、先のステップＳ１５で選択された印刷ファイルのデータを、先のステップＳ１７で設定された印刷条件にしたがって印刷すべく、当該データを印刷媒体７から読み出して印刷部６に送出し、印刷出力を実行させる（ステップＳ２０）。
【００２８】
このように記憶媒体７にデジカメファイル形式のデータが複数個記憶されている場合、制御部３は、そのデータのファイル形式を自動的に認識（識別）して、その認識結果に適合した表示階層の操作用画面（本処理例では印刷ファイル選択画面）をＵＩ部５の表示部に表示させるため、ＵＩ部５での操作用画面の表示回数と各々の操作用画面に基づくユーザの入力操作回数を減らすことができる。これにより、ユーザは、いちいちＵＩ部５でデータのファイル形式を選択しなくても済むようになる。したがって、従来のように第１階層から順に操作用画面を表示する場合に比較して、ユーザの入力操作の手間を省くことができるとともに、印刷開始までの所要時間を短縮することができる。
【００２９】
続いて、記憶媒体７に記憶されたデータのファイル形式がデジカメファイル形式であって、このデジカメファイル形式のファイル個数が１個だけ存在する場合の処理例について図４のフローチャートを用いて説明する。
【００３０】
先ず、印刷装置１の媒体装着部２に記憶媒体７が装着されると（ステップＳ２１）、この装着を感知した制御部３は、先述の処理例と同様に記憶媒体７内でのデータ記憶状況（データのファイル形式、ファイル個数等）を認識する（ステップＳ２２）。次に、制御部３は、先のステップＳ２２で認識したデータ記憶状況に応じて、ＵＩ部５の表示部に表示すべき操作用画面の表示階層を決定する（ステップＳＳ２３）。
【００３１】
次いで、制御部３は、先に決定した表示階層にしたがってＵＩ部５の表示部に操作用画面を表示させる（ステップＳ２４）。この場合、制御部３は、上記ステップＳ２２でデータのファイル形式をデジカメファイル形式と認識するため、ファイル形式の選択を不要と判断して第１階層のファイル形式選択画面の表示を省略（スキップ）し、デジカメプリント用の表示モードに自動的に移行する。さらに、制御部３は、上記ステップＳ２２でデジカメファイル形式のファイル個数を１個と認識するため、印刷ファイルの選択を不要と判断して第２階層の印刷ファイル選択画面の表示を省略し、第３階層の操作用画面となる印刷条件設定画面の表示データをメモリ４から読み出してＵＩ部５の表示部に表示させる。
【００３２】
その後、印刷条件設定画面にしたがったＵＩ部５でのユーザの入力操作により印刷条件が設定されると（ステップＳ２５）、制御部３は、第４階層の操作用画面となる印刷実行指示画面の表示データをメモリ４から読み出してＵＩ部５の表示部に表示させる（ステップＳ２６）。次いで、印刷実行指示画面にしたがったＵＩ部５でのユーザの入力操作により印刷実行が指示されると（ステップＳ２７）、制御部３は、記憶媒体７に記憶されている１個のデータを、先のステップＳ２５で設定された印刷条件にしたがって印刷すべく、当該データを印刷媒体７から読み出して印刷部６に送出し、印刷出力を実行させる（ステップＳ２８）。
【００３３】
このように記憶媒体７にデジカメファイル形式のデータが１個だけ記憶されている場合、制御部３は、そのデータのファイル形式とファイル個数を自動的に認識（識別）して、その認識結果に適合した表示階層の操作用画面（本処理例では印刷条件設定画面）をＵＩ部５の表示部に最初に表示させるため、ＵＩ部５での操作用画面の表示回数と各々の操作用画面に応じたユーザの入力操作回数を減らすことができる。これにより、ユーザは、いちいちＵＩ部５でデータのファイル形式を選択したり印刷対象のファイルを選択したりしなくても済むようになる。したがって、従来のように第１階層から順に操作用画面を表示する場合に比較して、ユーザの入力操作の手間を省くことができるとともに、印刷開始までの所要時間を短縮することができる。
【００３４】
なお、上述した２つの処理例では、いずれも記憶媒体７にデジカメファイル形式のデータが記憶されている場合を想定したが、記憶媒体７に記憶されているデータのファイル形式がＰＤＦファイル形式、ＴＩＦＦ形式又はＪＰＥＧ形式の場合であっても、ファイル形式選択画面からの移行先となるプリント用表示モードが異なるだけで、基本的に同様の手順で処理が行われる。
【００３５】
また、記憶媒体７に記憶されたデータのファイル形式がデジカメファイル形式であって、このデジカメファイル形式のファイル個数が１個だけ存在する場合の処理として、例えば、印刷条件設定画面を表示したときに、印刷条件の一つである印刷形式（インデックス印刷／通常印刷）の選択を省略するように画面表示を切り換える処理形態を採用してもよい。
【００３６】
さらに、印刷ファイル選択画面と印刷条件設定画面の階層順位が逆である場合（第２階層の操作用画面が印刷条件設定画面で、第３階層の操作用画面が印刷ファイル選択画面である場合）にあっては、ステップＳ２３での操作用画面の表示階層の決定に際して、第２階層の操作用画面と第４階層の操作用画面を表示対象とするように決定してもよい。この場合は、第２階層の操作用画面を表示した後、第３階層の操作用画面の表示を省略して、第４階層の操作用画面が表示することになる。
【００３７】
また、デジカメプリントでの印刷条件の設定項目が例えば印刷形式の選択だけである場合は、記憶媒体７に記憶されているデジカメファイル形式のファイル個数が１個のときに印刷条件の設定が不要となる。したがって、この場合は図５に示すような処理形態を好適に採用することができる。即ち、ステップＳ３１，Ｓ３２において、媒体装着部２に装着された記憶媒体７におけるデータ記憶状況を認識した後、この認識結果を基にステップＳ３３で表示階層を決定するに際し、第１階層〜第３階層の操作用画面の表示を不要と判断してそれらの画面表示を省略（スキップ）し、第４階層の操作用画面となる印刷実行指示画面の表示データをメモリ４から読み出してＵＩ部５の表示部に表示させる（ステップＳ３４）。その後、印刷実行指示画面にしたがったＵＩ部５でのユーザの入力操作により印刷実行が指示されると（ステップＳ３５）、記憶媒体７に記憶されている１個のデータを印刷媒体７から読み出して印刷部６に送出し、印刷出力を実行させる（ステップＳ３６）。このような処理形態を採用すれば、ユーザは、記憶媒体７を媒体装着部２に装着した後、ＵＩ部５に表示された印刷実行指示画面にしたがって印刷実行を指示するだけで、データを印刷することができる。これにより、ＵＩ部５での画面表示回数とユーザの入力操作がそれぞれ１回で済むようになるため、入力の手間を大幅に軽減し、かつ、印刷開始までの所要時間を大幅に短縮することができる。
【００３８】
また、記憶媒体７に複数種のファイル形式のデータが混在して記憶されている場合は、原則的に第１階層の操作用画面（ファイル形式選択画面）から順に各階層の操作用画面（印刷ファイル選択画面、印刷条件設定画面、印刷実行指示画面）を表示するものとする。ただし、記憶媒体７におけるデータ記憶状況によっては次のような処理形態を採用することも可能である。
【００３９】
すなわち、媒体装着部２に印刷媒体７が装着されたことを感知して制御部３が記憶媒体７のデータ記憶状況を認識したときに、例えばＰＤＦファイル形式のデータとＴＩＦＦファイル形式のデータが混在していたとする。そうした場合、制御部３では、ファイル個数の相対比較でファイル個数が多い方のファイル形式を自動的に選択し、このファイル形式に適合するプリント用表示モードに移行して第２階層の印刷ファイル選択画面を最初に表示すべき操作用画面に決定する。
【００４０】
また、ファイル個数だけでなく、記憶媒体７に記憶されている全てデータのファイル総数に対して、各々のファイル形式ごとのファイルの割合を認識し、この割合が例えばファイル総数の９０％〜１００％であるファイル形式が存在すれば、このファイル形式に適合するプリント用表示モードに自動的に移行して第２階層の印刷ファイル選択画面を最初に表示すべき操作用画面に決定する。
【００４１】
このようにファイル形式ごとのファイルの個数や割合に応じて操作用画面の表示階層を適宜決定するようにすれば、上記同様の処理例と同様にＵＩ部５での操作用画面の表示回数と各々の操作用画面に基づくユーザの入力操作回数を減らすことができる。
【図面の簡単な説明】
【００４２】
【図１】本発明の実施形態に係る印刷装置の構成例を示す機能ブロック図である。
【図２】操作用表示画面の階層構造の一例を示す図である。
【図３】本発明の実施形態に係る印刷装置の第１処理例を示すフローチャートである。
【図４】本発明の実施形態に係る印刷装置の第２処理例を示すフローチャートである。
【図５】本発明の実施形態に係る印刷装置の第３処理例を示すフローチャートである。
【図６】従来の印刷処理の処理例を示すフローチャートである。
【符号の説明】
【００４３】
１…印刷装置、２…媒体装着部、３…制御部、４…メモリ、５…ＵＩ部、６…印刷部、７…記憶媒体
【図１】
2008112463.tif 000003
【図２】
2008112463.tif 000004
【図３】
2008112463.tif 000005
【図４】
2008112463.tif 000006
【図５】
2008112463.tif 000007
【図６】
2008112463.tif 000008